(57)【要約】【課題】温水タンクを容易かつ安定的に固定することができる便器装置を提供する。【解決手段】便器装置１０は便器本体１の上面に設置される。便器装置１０は、温水タンク本体２２、及びこの温水タンク本体２２の周囲に固定された弾性を有する保温部材２３を備えた温水タンク２１を有する局部洗浄機構２０と、この局部洗浄機構２０を上面に載置して固定し、便器本体１の上面に固定されたベース部材３０と、このベース部材３０に固定された洗浄タンク４０とを備えており、温水タンク２１は、ベース部材３０と洗浄タンク４０との間に挟持されている。【選択図】図１
2011236617.tif 000002
【特許請求の範囲】
【請求項１】
便器本体の上面に設置される便器装置であって、
温水タンク本体、及びこの温水タンク本体の周囲に固定された弾性を有する保温部材を備えた温水タンクを有する局部洗浄機構と、
この局部洗浄機構を上面に載置して固定し、前記便器本体の上面に固定されたベース部材と、
このベース部材に固定され、前記局部洗浄機構とは別の機能を有する機能部材とを備えており、
前記温水タンクは、前記ベース部材と前記機能部材との間に挟持されていることを特徴とする便器装置。
【請求項２】
前記機能部材は、前記局部洗浄機構を覆って収納するカバー部材であることを特徴とする請求項１記載の便器装置。
【請求項３】
前記機能部材は、前記便器本体を洗浄する洗浄水を貯留する洗浄タンクであることを特徴とする請求項１記載の便器装置。
【請求項４】
前記ベース部材は、上面に立設されて前記温水タンクの側面に当接する立壁を有していることを特徴とする請求項１乃至３のいずれか１項記載の便器装置。
【請求項５】
前記保温部材は、側面部に突出して形成され、前記ベース部材に固定されるフランジ部を有していることを特徴とする請求項１乃至４のいずれか１項記載の便器装置。
【発明の詳細な説明】
【技術分野】
【０００１】
本発明は便器装置に関する。
【背景技術】
【０００２】
特許文献１の図７には従来の便器装置が開示されている。この便器装置は便器本体の上面に設置されている。また、この便器装置は、温水タンクを具備した局部洗浄機構と、この局部洗浄機構を上面に載置して固定したベース部材とを備えている。ベース部材は便器本体の上面に固定されている。局部洗浄機構はベース部材に取り付けられたカバー部材に覆われている。温水タンクはベース部材から立ち上がって形成された複数の支柱に螺子止めされ、固定されている。
【０００３】
温水タンクの上面には弾性部材が載置されている。この弾性部材は、カバー部材に人が誤って乗ってしまいカバー部材が下方に撓んだ際、温水タンクにかかる荷重を分散させることができる。これにより、温水タンクの一部分に荷重が集中してしまうことを防止することができる。このため、温水タンクが破壊されることを防止することができる。また、カバー部材にかかった荷重を温水タンクで支持するため、カバー部材の変形が最小限に抑えられ、カバー部材の損傷を防止することができる。
【先行技術文献】
【特許文献】
【０００４】
【特許文献１】特開２００６−１６８２３号公報
【発明の概要】
【発明が解決しようとする課題】
【０００５】
しかし、特許文献１の便器装置では、温水タンクは複数の支柱に螺子止めされ、固定されているため、温水タンクの固定に手間を要する。また、温水タンクは内部の洗浄水の温度変化により膨張・収縮が繰り返される。この際、温水タンクの螺子止め部分に応力が集中し、この部分が破損するおそれがある。
【０００６】
本発明は、上記従来の実情に鑑みてなされたものであって、温水タンクを容易かつ安定的に固定することができる便器装置を提供することを解決すべき課題としている。
【課題を解決するための手段】
【０００７】
本発明の便器装置は、便器本体の上面に設置される便器装置であって、
温水タンク本体、及びこの温水タンク本体の周囲に固定された弾性を有する保温部材を備えた温水タンクを有する局部洗浄機構と、
この局部洗浄機構を上面に載置して固定し、前記便器本体の上面に固定されたベース部材と、
このベース部材に固定され、前記局部洗浄機構とは別の機能を有する機能部材とを備えており、
前記温水タンクは、前記ベース部材と前記機能部材との間に挟持されていることを特徴とする。
【０００８】
この便器装置では、局部洗浄機構とは別の機能を有する機能部材をベース部材に固定することにより、ベース部材と機能部材との間に温水タンクを挟持することができる。このように、温水タンクのみを固定するのではなく、機能部材の固定とともに温水タンクを固定することができる。このため、温水タンクを固定する手間を軽減することができる。
【０００９】
また、温水タンクは、温水タンク本体の周囲に弾性を有する保温部材が固定され、ベース部材と機能部材との間に挟持されている。このため、温水タンク本体内の洗浄水の温度変化により温水タンク本体が膨張・収縮を繰り返しても保温部材がその変化を吸収する。よって、温水タンクの特定の部分に応力が集中せず、温水タンクの破損を防止することができる。
【００１０】
したがって、本発明の便器装置は、温水タンクを容易かつ安定的に固定することができる。
【００１１】
前記機能部材は、前記局部洗浄機構を覆って収納するカバー部材であり得る。この場合、カバー部材をベース部材に取り付けるとともにベース部材とカバー部材との間に温水タンクを挟持することができる。このため、温水タンクを固定する手間を軽減することができる。
【００１２】
前記機能部材は、前記便器本体を洗浄する洗浄水を貯留する洗浄タンクであり得る。この場合、洗浄タンクをベース部材に取り付けるとともにベース部材と洗浄タンクとの間に温水タンクを挟持することができる。このため、温水タンクを固定する手間を軽減することができる。
【００１３】
前記ベース部材は、上面に立設されて前記温水タンクの側面に当接する立壁を有し得る。この場合、立壁が温水タンクの側面に当接するため、温水タンクが水平方向に移動することを規制することができる。このため、温水タンクは水平方向にずれない。
【００１４】
前記保温部材は、側面部に突出して形成され、前記ベース部材に固定されるフランジ部を有し得る。この場合、保温部材のフランジ部をベース部材に固定することにより、温水タンクをより安定的に固定することができる。また、保温部材は温水タンク本体が膨張・収縮を繰り返しても、その変化を吸収するため、フランジ部に応力が集中しない。このため、保温部材のフランジ部の破損を防止することができ、温水タンクを安定的に固定することができる。
【図面の簡単な説明】
【００１５】
【図１】実施例１の便器装置を備えた水洗式便器の概略図である。
【図２】実施例１の要部を示す断面図である。
【図３】実施例２の要部を示す拡大図である。
【図４】実施例３の便器装置を備えた水洗式便器の概略図である。
【図５】実施例４の便器装置を備えた水洗式便器の概略図である。
【発明を実施するための形態】
【００１６】
本発明の便器装置を備えた水洗式便器を具体化した実施例１〜４を図面を参照しつつ説明する。
【００１７】
＜実施例１＞
実施例１の水洗式便器は、図１及び図２に示すように、便器装置１０を備えている。便器装置１０は、便器本体１の上面に設置されている。便器装置１０は、局部洗浄機構２０、ベース部材３０、機能部材である洗浄タンク４０、上カバー５０、吐水口５１Ａを有する手洗鉢５１及び下カバー５２を備えている。上カバー５０は、図示しない便座及び便蓋を回動自在に軸支している。
【００１８】
局部洗浄機構２０は、温水タンク２１、２本の局部洗浄ノズル２４、バルブユニット２５、及び図示しない温風乾燥装置、脱臭装置、暖房装置、空気清浄機等を有している。温水タンク２１は、温水タンク本体２２、及びこの温水タンク本体２２の周囲に固定された弾性を有する保温部材２３を備えている。
【００１９】
温水タンク本体２２は上ケース２２Ａと下ケース２２Ｂとから形成されている。上ケース２２Ａは、上面部及び側面部を有し、下方に開口した中空体である。上ケース２２Ａの下端部は外延部が外側に突出して鍔形状に形成されている。下ケース２２Ｂは、下面部及び側面部を有し、上方に開口した中空体である。下ケース２２Ｂの上端部は外延部が外側に突出して鍔形状に形成されている。上ケース２２Ａの下端部と下ケース２２Ｂの上端部とは対称形状に形成されている。このように形成された上ケース２２Ａと下ケース２２Ｂとは、上ケース２２Ａの下端部の下面と下ケース２２Ｂの上端部の上面とを溶着して一体化され、温水タンク本体２２を形成している。
【００２０】
上ケース２２Ａは上部に横方向に延びて形成された流出管２２Ｃを有している。流出管２２Ｃは、給水パイプ２４Ａの上流端部が接続されている。給水パイプ２４Ａは２つの流路に分岐されている。２つの流路に分岐された給水パイプ２４Ａの各下流端部は２本の局部洗浄ノズル２４に別々に連結されている。
【００２１】
下ケース２２Ｂは、左側（図１及び図２における左側）の側面部に形成された流入口２２Ｄを有している。流入口２２Ｄには、バルブユニット２５の流出管２５Ａが挿入され、接続されている。下ケース２２Ｂは、前方側（図２における下側）の側面部に設けられたヒーター取付部２２Ｅを有している。ヒーター取付部２２Ｅには、温水タンク本体２２内に配置され、Ｕ字状に折り曲げられたヒーター２６の両端部が取り付けられている。
【００２２】
バルブユニット２５は流入口２５Ｂを有している。流入口２５Ｂは給水管Ｓ及び止水栓Ｖを介して上流側の給水源Ｆに連通している。バルブユニット２５は、連結管４１Ａを介して洗浄タンク４０に洗浄水を供給する第１給水路と、第１給水路から分岐して流出管２５Ａに連通する第２給水路を有している。第２給水路には開閉弁が設けられている。この開閉弁を開閉することによって温水タンク本体２２内への給水を制御する。
【００２３】
保温部材２３は弾性を有する発泡材から形成されている。保温部材２３は内面が凹凸形状に形成されている。また、保温部材２３は、内面の凸部が温水タンク本体２２の外表面に当接するように形成されている。また、保温部材２３は、流出管２２Ｃ、流入口２２Ｄ及びヒーター取付部２２Ｅに対応する位置を切り欠いて形成した開口部を有している。このように形成された保温部材２３は温水タンク本体２２の周囲に固定されている。
【００２４】
ベース部材３０は平板状である。このベース部材３０は便器本体１の後部上面に固定されている。ベース部材３０は局部洗浄機構２０及び洗浄タンク４０を載置して固定している。ベース部材３０は、温水タンク２１を載置する上面部の周囲に立設され、温水タンク２１の前後（図２における上下）及び左側の下部側面に当接する立壁３１を有している。
【００２５】
洗浄タンク４０は、中央部の下端から下方に延び、排出口を形成する筒部４２を有している。この筒部４２がベース部材３０に設けられた開口に挿入された状態で、洗浄タンク４０はベース部材３０に固定されている。
【００２６】
洗浄タンク４０は、下部の左右を切り欠いて空間部Ｋ１、Ｋ２を形成している。この空間部Ｋ１、Ｋ２には、ベース部材３０上に組み付けられた局部洗浄機構２０の構成部品を収納することができる。洗浄タンク４０の左側の下部に形成された空間部Ｋ１には、温水タンク２１が収納されている。洗浄タンク４０がベース部材３０に固定されると、空間部Ｋ１の境界面を形成する洗浄タンク４０の左側の下面４３Ａ及び左側の下部側面４３Ｂは、ベース部材３０に所定の位置に載置された温水タンク２１の上面及び右側面に当接するように形成されている。
【００２７】
ベース部材３０の所定の位置に温水タンク２１を載置した後、洗浄タンク４０をベース部材３０に固定すると、ベース部材３０と洗浄タンク４０の左側の下面４３Ａとの間に温水タンク２１が挟持される。このように、機能部材である洗浄タンク４０をベース部材３０に固定するだけでなく、洗浄タンク４０の固定とともに温水タンク２１を固定することができる。このため、温水タンク２１を固定する手間を軽減することができる。
【００２８】
また、温水タンク２１は、温水タンク本体２２の周囲に弾性を有する保温部材２３が固定され、ベース部材３０と洗浄タンク４０との間に挟持されている。このため、温水タンク本体２２内の洗浄水の温度変化により温水タンク本体２２が膨張・収縮を繰り返しても保温部材２３がその変化を吸収する。よって、温水タンク２１の特定の部分に応力が集中せず、温水タンク２１の破損を防止することができる。
【００２９】
したがって、実施例１の便器装置１０は、温水タンク２１を容易かつ安定的に固定することができる。
【００３０】
また、温水タンク２１は、右側（図１及び図２における右側）の側面部が洗浄タンク４０の左側の下部側面４３Ｂに当接している。また、温水タンク２１は、左側の下部側面がベース部材３０の立壁３１に当接している。このようにして、温水タンク２１は左右方向に移動することが規制されている。このため、温水タンク２１は左右方向にずれない。
【００３１】
また、温水タンク２１は、前後の下部側面がベース部材３０の立壁３１に当接している。このため、温水タンク２１は前後方向に移動することが規制されている。よって、温水タンク２１は前後方向にずれない。
【００３２】
このようにして、温水タンク２１と洗浄タンク４０とがベース部材３０に固定され、さらに局部洗浄機構２０の他の構成部品もベース部材３０に固定された状態で、上カバー５０がベース部材３０に固定される。吐水口５１Ａを有する手洗鉢５１は上カバー５０の上端面に載置される。
【００３３】
また、下カバー５２は、局部洗浄機構２０、洗浄タンク４０、上カバー５０及び手洗鉢５１が組み付けられたベース部材３０を便器本体１の後部上面に固定した状態でベース部材３０に取り付けられる。このようにして、便器装置１０を備えた水洗式便器は組み立てられる。
【００３４】
＜実施例２＞
実施例２の水洗式便器に備えられる便器装置１１０は、図３に示すように、温水タンク１２１のベース部材１３０への固定構造が実施例１の温水タンク２１と相違する。他の構成は実施例１と同様であり、同一の構成は同一の符号を付し詳細な説明を省略する。
【００３５】
温水タンク１２１の保温部材１２３は、側面部にフランジ部１２３Ａが突出して形成されている。フランジ部１２３Ａは、ボルトＢが挿通する貫通孔が設けられている。ベース部材１３０は、温水タンク１２１の左右の下部側面に当接する立壁１３１を有している。立壁１３１は、保温部材１２３のフランジ部１２３Ａに対応する位置の上端部に外側に延びる固定片１３１Ａを有している。固定片１３１ＡはボルトＢがねじ込まれる螺子孔が設けられている。
【００３６】
このように構成された温水タンク１２１は、洗浄タンク４０がベース部材１３０に固定されると、ベース部材１３０と洗浄タンク４０の下面４３Ａとの間に挟持される。このように、洗浄タンク４０の固定とともに温水タンク１２１が固定される。さらに、保温部材１２３のフランジ部１２３Ａと立壁１３１の固定片１３１ＡとをボルトＢにより連結し、固定する。これにより、温水タンク１２１はより安定的にベース部材１３０に固定することができる。また、保温部材１２１は、温水タンク本体２２内の洗浄水の温度変化により温水タンク本体２２が膨張・収縮を繰り返しても、その変化を吸収するため、フランジ部１２３Ａに応力が集中しない。このため、保温部材１２１のフランジ部１２３Ａの破損を防止することができる。よって、温水タンク１２１を安定的に固定することができる。
【００３７】
＜実施例３＞
実施例３の便器装置２１０を備えた水洗式便器は、図４に示すように、洗浄タンク４０を備えず、外部の給水源から供給される洗浄水を開閉弁を介して便器本体１に直接的に供給するタンクレス便器である。温水タンク２１は実施例１と同一の構成を有している。実施例１と同一の構成については同一の符号を付し詳細な説明を省略する。
【００３８】
この便器装置２１０は、局部洗浄機構２０、ベース部材２３０及び機能部材であるカバー部材１５０を備えている。ベース部材２３０は平板状である。このベース部材２３０は便器本体１の後部上面に固定されている。ベース部材２３０は、温水タンク２１を載置する上面部の周囲に立設され、温水タンク２１の前側（図４における左側）及び左右の下部側面に当接する立壁２３１を有している。
【００３９】
カバー部材１５０は、ベース部材２３０に固定され、局部洗浄機構２０を覆って収納している。カバー部材１５０は、上部内面１５０Ａが温水タンク２１の上面に当接し、後部内面１５０Ｂが温水タンク２１の後側面に当接するように形成されている。また、カバー部材１５０は便座２及び便蓋３を回動自在に軸支している。
【００４０】
ベース部材２３０の所定の位置に温水タンク２１を載置した後、カバー部材１５０をベース部材２３０に固定すると、ベース部材２３０とカバー部材１５０の上部内面１５０Ａとの間に温水タンク２１が挟持される。このように、機能部材であるカバー部材１５０をベース部材２３０に固定するだけでなく、カバー部材１５０の固定とともに温水タンク２１を固定することができる。このため、温水タンク２１を固定する手間を軽減することができる。
【００４１】
したがって、実施例３の便器装置２１０も、温水タンク２１を容易かつ安定的に固定することができる。
【００４２】
また、温水タンク２１は、前側及び左右の下部側面に立壁２３１が当接し、後側面にカバー部材１５０の後部内面が当接している。このようにして、温水タンク２１は水平方向に移動することが規制されている。このため、温水タンク２１は水平方向にずれない。
【００４３】
＜実施例４＞
実施例４の便器装置３１０を備えた水洗式便器は、図５に示すように、実施例３の水洗式便器が外部の給水源から開閉弁を介して直接的に洗浄水を供給する洗浄装置に換えて、洗浄タンク１４０に貯留された洗浄水を供給する洗浄装置を採用したものである。温水タンク２１は実施例１及び３と同一の構成を有している。実施例１及び３と同一の構成については同一の符号を付し詳細な説明を省略する。
【００４４】
この便器装置３１０は、局部洗浄機構２０、ベース部材３３０、機能部材であるカバー部材２５０、洗浄タンク１４０及びタンクカバー３５０を備えている。洗浄タンク１４０及びタンクカバー３５０はベース部材３３０に固定されている。タンクカバー３５０は、局部洗浄機構２０を収納したカバー部材２５０及び洗浄タンク１４０を覆って収納している。タンクカバー３５０は便座２及び便蓋３を回動自在に軸支している。
【００４５】
ベース部材３３０は平板状である。このベース部材３３０は便器本体１の後部上面に固定されている。ベース部材３３０は、温水タンク２１を載置する上面部の周囲に立設され、温水タンク２１の前側（図５における左側）及び左右の下部側面に当接する立壁３３１を有している。
【００４６】
カバー部材２５０は、ベース部材３３０に固定され、局部洗浄機構２０を覆って収納している。カバー部材２５０は、上部内面２５０Ａが温水タンク２１の上面に当接し、後部内面２５０Ｂが温水タンク２１の後側面に当接するように形成されている。
【００４７】
ベース部材３３０の所定の位置に温水タンク２１を載置した後、カバー部材２５０をベース部材３３０に固定すると、ベース部材３３０とカバー部材２５０の上部内面２５０Ａとの間に温水タンク２１が挟持される。このように、機能部材であるカバー部材２５０をベース部材３３０に固定するだけでなく、カバー部材２５０の固定とともに温水タンク２１を固定することができる。このため、温水タンク２１を固定する手間を軽減することができる。
【００４８】
したがって、実施例４の便器装置３１０も、温水タンク２１を容易かつ安定的に固定することができる。
【００４９】
また、温水タンク２１は、前側及び左右の下部側面に立壁３３１が当接し、後側面にカバー部材２５０の後部内面が当接している。このようにして、温水タンク２１は水平方向に移動することが規制されている。このため、温水タンク２１は水平方向にずれない。
【００５０】
本発明は上記記述及び図面によって説明した実施例に限定されるものではなく、例えば次のような実施例も本発明の技術的範囲に含まれる。
（１）実施例１〜４では、ベース部材に立壁を設けていたが、ベース部材に立壁を設けなくてもよい。
（２）実施例１〜４では、上ケースと下ケースとから形成された温水タンク本体を用いたが、温水タンク本体はどのように形成されたものであってもよい。
（３）実施例１〜４では、温水タンク本体の周囲全体を保温部材で覆っていたが、温水タンク本体の周囲の一部分を覆う保温部材であってもよい。
【産業上の利用可能性】
【００５１】
本発明は局部洗浄装置に利用可能である。
【符号の説明】
【００５２】
１…便器本体
１０、１１０、２１０、３１０…便器装置
２０…局部洗浄機構
２１…温水タンク
２２…温水タンク本体
２３…保温部材
３０、１３０、２３０、３３０…ベース部材
３１、１３１、２３１、３３１…立壁
４０、１５０、２５０…機能部材（４０…洗浄タンク、１５０、２５０…カバー部材）
１２３Ａ…フランジ部
【図１】
2011236617.tif 000003
【図２】
2011236617.tif 000004
【図３】
2011236617.tif 000005
【図４】
2011236617.tif 000006
【図５】
2011236617.tif 000007